(57)【要約】【課題】  本発明は、集塵タンクの移動時や塵埃排出時などに、塵埃が手などに付着せず衛生的に移動や塵埃排出を行える電気掃除機を提供することを目的とする。【解決手段】上面に開口を有し、側面にホースを連結するホース接続部１を有し、前記ホース接続部から吸い込まれる塵埃を溜める集塵タンク２と、前記集塵タンク２の上面開口に着脱可能に連結され、上方にハンドル３を備えるとともに、前記集塵タンク２内に臨む吸気口４を有し、内部に電動送風機５を内蔵し、前記集塵タンク２内の空気を前記吸気口４から吸い込む本体ユニット６と、前記集塵タンク２と前記本体ユニット６との間に介在する気密パッキン７を設け、前記吸気口４の下方には前記集塵タンク２に吸い込まれた塵埃が前記吸気口４を通って前記電動送風機５側へ侵入するのを阻止するためのフィルタ８を備え、前記集塵タンク２の下方には走行用車輪９が設けられた電気掃除機において、前記集塵タンク２の側面に把手を設けた。【選択図】図１
2014188125.tif 000002
【特許請求の範囲】
【請求項１】
上面に開口を有し、側面にホースを連結するホース接続部を有し、前記ホース接続部から吸い込まれる塵埃を溜める集塵タンクと、前記集塵タンクの上面開口に着脱可能に連結され、上方にハンドルを備えるとともに、前記集塵タンク内に臨む吸気口を有し、内部に電動送風機を内蔵し、前記集塵タンク内の空気を前記吸気口から吸い込む本体ユニットと、前記集塵タンクと前記本体ユニットとの間に介在する気密パッキンを設け、前記吸気口の下方には前記集塵タンクに吸い込まれた塵埃が前記吸気口を通って前記電動送風機側へ侵入するのを阻止するためのフィルタを備え、前記集塵タンクの下方には走行用車輪が設けられた電気掃除機において、前記集塵タンクの側面に把手を設けたことを特徴とする電気掃除機。
【請求項２】
請求項１に記載の電気掃除機において、前記集塵タンクの側面に設ける把手は集塵タンクとは別体にて設け、集塵タンクにねじ締め取付することを特徴とする電気掃除機。
【請求項３】
請求項２に記載の電気掃除機において、前記集塵タンクは金属材料にて構成し、把手を取り付ける集塵タンク内側に保持板部材を設けたことを特徴とする電気掃除機。
【請求項４】
上面に開口を有し、側面にホースを連結するホース接続部を有し、前記ホース接続部から吸い込まれる塵埃を溜める集塵タンクと、前記集塵タンクの上面開口に着脱可能に連結され、上方にハンドルを備えるとともに、前記集塵タンク内に臨む吸気口を有し、内部に電動送風機を内蔵し、前記集塵タンク内の空気を前記吸気口から吸い込む本体ユニットと、前記集塵タンクと前記本体ユニットとの間に介在する気密パッキンを設け、前記吸気口の下方には前記集塵タンクに吸い込まれた塵埃が前記吸気口を通って前記電動送風機側へ侵入するのを阻止するためのフィルタを備え、前記集塵タンクの下方には走行用車輪が設けられた電気掃除機において、前記ホース接続部に把手を設けたことを特徴とする電気掃除機。
【請求項５】
請求項４に記載の電気掃除機において、前記把手はホース接続部と一体成形品にて構成し、該ホース接続部は集塵タンクにねじ締め取付することを特徴とする電気掃除機。
【請求項６】
請求項５に記載の電気掃除機において、前記集塵タンクは金属材料にて構成され、ホース接続部を取り付ける集塵タンク内側に保持板部材を設けたことを特徴とする電気掃除機。
【発明の詳細な説明】
【技術分野】
【０００１】
本発明は電気掃除機に係り、特に電動送風機と集塵部を上下配置にし、電動送風機を内蔵した本体ユニットと集塵部を形成する集塵タンクとが着脱可能な電気掃除機に関する。
【背景技術】
【０００２】
従来、電気掃除機において、掃除機本体を持ち運びするためのハンドルが本体ユニット上部に設けられていた。
【０００３】
この技術は特許第２６５６６３３号公報に記載されている。
【０００４】
図１２は従来の電気掃除機を示す図である。図１２において１０１は電動送風機、１０２は本体ユニット、１０３は走行用車輪、１０４は集塵タンク、１０５は集塵フィルタ、１０６は本体ユニット１０２の上部に設けられたハンドルである。
【０００５】
このようなハンドル１０６を備えた電機掃除機において、使用者は、かがむことなくハンドル１０６を握り電気掃除機を持ち運びすることができる。更に、集塵タンク１０４内に溜まった塵埃を排出するために、本体ユニット１０２を集塵タンク１０４からとり外す際、本体ユニット１０２を持ちやすくするという効果もあった。
【先行技術文献】
【特許文献】
【０００６】
【特許文献１】特許第２６５６６３３号公報
【発明の概要】
【発明が解決しようとする課題】
【０００７】
例えば、上記特許第２６５６６３３号に示されているようなハンドルを備えた従来の電機掃除機において、集塵タンク内に溜まった塵埃を排出するために、使用者は、本体ユニットを集塵タンクから外した後、塵埃廃棄場所へ集塵タンクを移動したり、集塵タンクを持ち上げたりなどし、集塵タンクを傾斜させ集塵タンク内部の塵埃を排出する必要がある。
【０００８】
しかしながら、従来の電気掃除機は、本体ユニットを取り外した後は、容易に握ることができる部分がなかったため、本体ユニットを取り外し、集塵タンクを塵埃廃棄場所へ移動する際には、集塵タンク上面開口部や集塵タンク側面を抱える必要があった。また、集塵タンク内に溜まった塵埃を排出するときは、集塵タンク上面開口縁部や集塵タンク側面、あるいは走行用車輪近傍などを握り集塵タンクを傾斜させる必要があった。
【０００９】
集塵タンクの移動及び塵埃排出のため、集塵タンク上面開口縁部を握った場合、塵埃排出時に塵埃が手などに付着してしまう恐れがあり衛生的でなくなる恐れがある。また、集塵タンク上面開口部以外として集塵タンク側面に手を添えた場合、強く握れる箇所がないため、集塵タンクを支えている手が滑りやすくなる恐れがあり取扱いが容易ではなくなる恐れがある。
【００１０】
一般的に集塵タンクを具備する掃除機においては、集塵容積が大きいため塵埃が溜まった後の集塵タンクの重量が重い。このため使用者が手を滑らすなどの恐れは更に高くなる。
【００１１】
本発明は、集塵タンクの移動時や塵埃排出時などに、塵埃が手などに付着せず衛生的に移動や塵埃排出を行える電気掃除機を提供する。また、集塵タンクの移動や、塵埃排出時の取扱いが容易となり、作業者の塵埃廃棄作業性の向上を目的とする。
【課題を解決するための手段】
【００１２】
本発明は前記種々の問題点に鑑みてなされたもので、上面に開口を有し、側面にホースを連結するホース接続部を有し、前記ホース接続部から吸い込まれる塵埃を溜める集塵タンクと、前記集塵タンクの上面開口に着脱可能に連結され、上方にハンドルを備えるとともに、前記集塵タンク内に臨む吸気口を有し、内部に電動送風機を内蔵し、前記集塵タンク内の空気を前記吸気口から吸い込む本体ユニットと、前記集塵タンクと前記本体ユニットとの間に介在する気密パッキンを設け、前記吸気口の下方には前記集塵タンクに吸い込まれた塵埃が前記吸気口を通って前記電動送風機側へ侵入するのを阻止するためのフィルタを備え、前記集塵タンクの下方には走行用車輪が設けられた電気掃除機において、前記集塵タンクの側面に把手を設けたことを特徴とする。
【００１３】
また、前記掃除機において、前記集塵タンクの側面に設ける把手は集塵タンクとは別体にて設け、集塵タンクにねじ締め取付することを特徴とする。
【００１４】
また、前記掃除機において、前記集塵タンクは金属材料にて構成し、把手を取り付ける集塵タンク内側に保持板部材を設けたことを特徴とする。
【００１５】
また、上面に開口を有し、側面にホースを連結するホース接続部を有し、前記ホース接続部から吸い込まれる塵埃を溜める集塵タンクと、前記集塵タンクの上面開口に着脱可能に連結され、上方にハンドルを備えるとともに、前記集塵タンク内に臨む吸気口を有し、内部に電動送風機を内蔵し、前記集塵タンク内の空気を前記吸気口から吸い込む本体ユニットと、前記集塵タンクと前記本体ユニットとの間に介在する気密パッキンを設け、前記吸気口の下方には前記集塵タンクに吸い込まれた塵埃が前記吸気口を通って前記電動送風機側へ侵入するのを阻止するためのフィルタを備え、前記集塵タンクの下方には走行用車輪が設けられた電気掃除機において、前記ホース接続部に把手を設けたことを特徴とする。
【００１６】
また、前記掃除機において、前記把手はホース接続部と一体成形品にて構成し、該ホース接続部は集塵タンクにねじ締め取付することを特徴とする。
【００１７】
また、前記掃除機において、前記集塵タンクは金属材料にて構成され、ホース接続部を取り付ける集塵タンク内側に保持板部材を設けたことを特徴とする。
【発明の効果】
【００１８】
上記本発明の電機掃除機は、集塵タンクの側面に把手を設けているため、集塵タンクの移動時や塵埃排出時などに、塵埃が手などに付着せず衛生的に移動や塵埃排出が行えるという効果が得られる。また、集塵タンクの移動や、塵埃排出時の取扱いが容易となり、作業者の塵埃廃棄作業性が向上する。
【図面の簡単な説明】
【００１９】
【図１】本発明の第１の実施形態に係る電気掃除機の外観斜視図である。
【図２】本発明の第１の実施形態に係る電気掃除機の断面図である。
【図３】本発明の第１の実施形態に係る電気掃除機の分解斜視図を示す図である。
【図４】本発明の第１の実施形態に係る電気掃除機の、塵埃排出時の状態を示す図である。
【図５】本発明の第２の実施形態に係る電気掃除機のホース接続部と集塵タンクの組立てを示す図である。
【図６】本発明の第３の実施形態に係る電気掃除機のホース接続部と集塵タンクの組立てを示す図である。
【図７】本発明の第４の実施形態に係る電気掃除機の外観斜視図である。
【図８】本発明の第５の実施形態に係る電気掃除機の断面図である。
【図９】本発明の第６の実施形態に係る電気掃除機のホース接続部と集塵タンクの組立てを示す図である。
【図１０】本発明の第１〜第５の実施形態に係るホース接続部と集塵タンクの組立てを示す図である。
【図１１】本発明の第１〜第５の実施形態に係るホース接続部と集塵タンクの組立てを示す別の図である。
【図１２】従来の実施例を示す図である。
【発明を実施するための形態】
【００２０】
以下、本発明の第１の実施形態を図１〜図３を用いて説明する。図１は本実施例に係る電気掃除機の外観斜視図、図２はその断面図、図３は分解斜視図である。
【００２１】
図１において、１はホース接続部、２は集塵タンク、３はハンドル、６は本体ユニット、７は気密パッキン、９は走行用車輪、１１はクランプ、１５はキャスターベース、１６は本体ケース、２０はクチパッキン、１０は後述する把手である。
【００２２】
集塵タンク２は、上面に開口を有する略円筒形状の部材である。集塵タンク２は、側面にホースを連結するホース接続部２を有している。本体ユニット６は、集塵タンク２の上部開口に着脱可能に連結される。本体ユニット６と集塵タンク２とはクランプ１１により係止される。
【００２３】
以下、図２を用いて実施形態を詳細に説明する。
【００２４】
図２において、４は吸気口、５は電動送風機、８はフィルタ、１２は、取り付けねじ、１７はフィルターワク、１８はモーターベース、１９は電源コードである。
【００２５】
集塵タンク２側面のホース接続部１から吸い込まれた塵埃は、集塵タンク２内に溜められる。ホース接続部１と集塵タンク２の間の気密はクチパッキン２０にて保たれている。
【００２６】
塵埃を集塵するための吸引力は、本体ユニット６内部の電動送風機５により得られる。
【００２７】
本体ユニット６は、ウエケース１６と、その上部にハンドル３が備えられ、内部に電動送風機５を備えている。また、本体ユニット６を集塵タンク２に取り付けた状態では、電動送風機５は、集塵タンク２内部に臨み、モーターベース１８にて保持されている。モーターベース１８の下方には吸気口４が設けられており本体ユニット６を構成している。
【００２８】
電動送風機５への塵埃の流入を防ぐために、電動送風機５の下方にフィルタ８が設けられている。電動送風機５の吸引力により、フィルタ８が電動送風機５側へ吸着されないように、フィルタ８はフィルターワク１７に取り付けられている。また、気密パッキン７は、フィルターワク１７とフィルタ８を包含し、本体ユニット６及び集塵タンク２の間の気密を保つように設けられている。
【００２９】
集塵タンク２の下方には、掃除機本体が自由に移動できるよう走行用車輪９が設けられている。走行用車輪９は、直接、集塵タンク２下方に取り付けても良く、図示のように、集塵ユニット２を保持し、走行用車輪９を取り付けるキャスターベース１５を設けてもよい。
【００３０】
集塵タンク２の側面には、集塵タンク２に溜まった塵埃を排出するための移動時、および塵埃排出時に使用される把手１０が１つ設けられている。
【００３１】
ここで、本実施形態においては、把手１０は、集塵タンク２と一体品で構成されている。
【００３２】
なお、把手１０は複数設けられていても良い。
【００３３】
使用者が、集塵タンク２内に溜まった塵埃を排出する準備を、図３を用いて説明する。
【００３４】
まずクランプ１１を外し、本体ユニット６を、本体ユニット６上部に設けられたハンドル３を握り集塵タンク２から取り外す。その後、フィルタ８とフィルターワク１７を包含する気密パッキン７を集塵タンク２から取り外し、図３に示すように、集塵タンク２内の塵埃が排出できる状態となる。
【００３５】
使用者は、下方に設けられたキャスターベース１５やキャスター９などとともに集塵タンク２を塵埃廃棄場所へ移動する際、把手１０を握ることにより、容易に持ち、移動することが可能となる。特に階段の上り下りの移動や、敷居をまたぐ際など、集塵タンク上方開口部や集塵タンク２側面などを持つ必要がなく、衛生的に且つ容易に集塵ユニット２の持ち運びが可能となる。
【００３６】
さらに集塵容量が大きく重量が重い掃除機であっても、しっかりと掃除機を保持できるため、持ち運びが楽になる。
【００３７】
図４は、使用者が把手１０を握り、集塵タンク２を傾斜させて塵埃を排出する状態を説明したものである。このとき使用者は把手１０を握っているため塵埃に触れることなく、衛生的に塵埃を排出することができる。
【００３８】
また、本実施形態１のように、ホース接続部１側にのみ把手１０が設けられている場合には、把手１０と、キャスターベース１５や走行用車輪９付近を保持することにより、集塵タンク２を傾斜でき塵埃を容易に排出することが可能となる。
【００３９】
また、図４のように、ホース接続部１側の把手１０を上方に持って塵埃排出動作を行えば、ホース接続部１を上方にすることができ、ホース接続部１内の塵埃及び集塵タンク２内の塵埃がこぼれ落ちないという効果も得られる。
【００４０】
さらに片方の手でホース接続部１側の把手１０を握り、集塵タンク２を持ち上げれば、ホース接続部１が自動的に上方を向くこととなり、移動時の塵埃こぼれ防止となる。
【００４１】
また、集塵タンク２側面部上方に把手１０を設けることにより、体をかがめず、容易に
集塵タンク２を持ち上げることができる。
【００４２】
さらに把手１０を握ることにより、集塵容積が大きく重量が重い掃除機であっても、しっかりと掃除機を保持できるため、塵埃排出時の集塵タンク２の取扱いが容易となる。
【００４３】
なお、把手１０が２個以上の場合には、両手で異なる把手１０を持つことでキャスターベース１５や走行用車輪９付近を保持する必要がなくなり、さらに衛生的に塵埃を排出することができるという効果も奏する。
【００４４】
次に本発明の第２の実施形態を図５を用いて説明する。
【００４５】
図５において、把手１０は集塵タンク２とは別体に設けられている。
【００４６】
集塵タンク２への把手１０の取付は、取付けねじ１２により行われる。
【００４７】
把手１０を別体にすることで、集塵タンク２と把手１０の材質や色相を変えることが可能となる。さらに、把手１０を製作しやすくでき、デザイン性を向上することができる、複雑な形状であっても握り易い形状を製作することができるなどの効果を奏する。
【００４８】
例えば集塵タンク２を軽量な合成樹脂で製作し、把手１０を耐久性のある金属とすることも可能となる。更に、把手１０が破損した場合でも簡単に新部品に交換できるというメリットがある。
【００４９】
次に本発明の第３の実施形態を図６を用いて説明する。
【００５０】
図６において、集塵タンク２はティンフリースチールなどの金属材料を用い、把手１０を取付ける集塵タンク２内側に保持板部材１３を設け、保持板部材１３を介し、取付けねじ１２により把手１０を固定する。
【００５１】
集塵タンク２に金属を用い、保持板部材１３を設けることにより、集塵タンク２のねじ止め部近傍の耐久性向上が図れる。
【００５２】
集塵容量が大きく重量が重い掃除機の場合でも、本構造を設けることに、集塵タンク２移動時や集塵タンク２内の塵埃排出などに加わる繰り返し応力に対し、ねじ止め部付近の耐久性が向上する。さらに掃除機本体を用いた通常清掃時の、壁などへの把手１０衝突による荷重に対しても耐久性向上となる。
【００５３】
次に本発明の第４の実施形態を図７を用いて説明する。
【００５４】
図７は本実施形態の斜視図である。
【００５５】
ここで把手１０はホース接続部１に設けている。本図において、把手１０はホース接続部１に対し上方に配置されているが、側面に配置したり、下方に配置しても良い。
【００５６】
また、ホース接続部１に把手１０が備えられている場合には、把手１０を握り、持ち上げることにより、塵埃排出時の移動や塵埃排出時にホース接続部１を上方にすることができ、ホース接続部１内の塵埃及び集塵タンク２内の塵埃がこぼれ落ちないという効果も得られる。
【００５７】
把手１０のホース接続部１への接続は、ねじなどの係止部材２１により固定される。
【００５８】
把手１０をホース接続部１に設けることにより、使用者が把手１０を握り、塵埃を排出する際の支点が集塵タンク２中央付近に移動することができ、集塵タンク２を傾斜させやすくなり、塵埃排出時の取扱性を更に向上させることができる。
【００５９】
次に本発明の第５の実施形態を図８を用いて説明する。
【００６０】
図８は本実施形態の断面図である。
【００６１】
ここで把手１０はホース接続部１と一体品であり、ホース接続部１は集塵タンク２にねじ１２で取付けされる。
【００６２】
把手１０とホース接続部１を一体品にすることで、それぞれ別体で製作する場合と比べて部品点数を低減でき、安価に把手１０を設けることができる。
【００６３】
把手１０とホース接続部１の材質は、合成樹脂や金属などが用いられる。
【００６４】
次に第６の実施形態を図９を用いて説明する。  
図９は本実施形態の断面図である。
【００６５】
図９において、集塵タンク２はティンフリースチールなどの金属材料を用い、把手１０を取付ける集塵タンク２内側に保持板部材１３を設け、保持板部材１３を介し、取付けねじ１２により把手１０が一体となるホース接続部１を固定する。
【００６６】
保持板部材１３は、図９のように少なくとも１箇所に設ける。
【００６７】
集塵タンク２に金属を用い、保持板部材１３を設けることにより、集塵タンク２ねじ止め部近傍の耐久性向上が図れる。
【００６８】
図１０、図１１にはホース接続部１の集塵タンク２への固定方法の他の実施例を示す。
【００６９】
図１０において、ホース接続部１の固定はフック１４を用いている。
【００７０】
図１１において、ホース接続部１側からねじ止めを行っている。
【００７１】
実施形態１〜６において上記のような固定方法を用いても良い。
【００７２】
本発明は、集塵タンクの側面に把手を設けることにより、集塵タンクの移動時や塵埃排出時などに、塵埃が手などに付着せず衛生的に移動や塵埃排出が行えるという効果が得られる。また、集塵タンクの移動や、塵埃排出時の取扱いが容易となり、作業者の塵埃廃棄作業性が向上する。
【符号の説明】
【００７３】
１    ホース接続部
２    集塵タンク
３    ハンドル
４    吸気口
５    電動送風機
６    本体ユニット
７    気密パッキン
８    フィルタ
９    走行用車輪
１０  把手
１１  クランプ
１２  取付けねじ
１３  保持板部材
１４  フック
１５  キャスターベース
１６  ウエケース
１７  フィルターワク
１８  モーターベース
１９  電源コード
２０  クチパッキン
２１  把手係止用ねじ
【図１】
2014188125.tif 000003
【図２】
2014188125.tif 000004
【図３】
2014188125.tif 000005
【図４】
2014188125.tif 000006
【図５】
2014188125.tif 000007
【図６】
2014188125.tif 000008
【図７】
2014188125.tif 000009
【図８】
2014188125.tif 000010
【図９】
2014188125.tif 000011
【図１０】
2014188125.tif 000012
【図１１】
2014188125.tif 000013
【図１２】
2014188125.tif 000014